(57)【要約】本発明は、あらゆる理由での１つ又は複数の製品の購入又は受信時に、販売促進／商業イニシアチブ、市場調査、割引チケット等へ参加する方法に関し、方法は、＊それぞれを１人のユーザに一義的に関連付けた１つ又は複数のユーザ・コード（１）を処理する動作；＊中央サーバ（３）、及び中央サーバ（３）と通信状態にした１つ又は複数のローカル・サーバ（１０）を構成する動作；＊購入製品の第１の電子リストを生成し、購入製品の電子リストに関連付けたユーザ・コード（１）をローカル・サーバ（１０）に送信する動作；＊前記販売促進及び／又は別の活動を受ける購入製品のリストを決定するために、予め決定した販売促進を受ける又は予め決定した販売促進を受けない１つ又は複数の製品を含む参照リストと、特定のユーザ・コード（１）に関連付けた前記購入製品とをローカル・サーバ（１０）内で比較する動作；＊前記リストに関連付けたコード（１）を中央サーバ（３）に送信する動作であって、前記送信する動作は、ローカル・サーバ（１０）による承諾入力の受信後に実施される、動作；＊中央サーバ（３）により前記受信データを受信、記憶する動作；＊コード（１）に関連付けた各ユーザに対する参照値の最終的な到達を検証するために前記データを処理する動作を含む。【選択図】図４
2016508249.tif 000002
【特許請求の範囲】
【請求項１】
１つ又は複数の製品の購入方法であって：
−中央サーバ（３）、及び前記中央サーバ（３）とインターネットを通じて通信状態にした１つ又は複数のローカル・サーバ（１０）を構成する動作；
−特定のプロセッサを通して、それぞれを１人のユーザに一義的に関連付けた１つ又は複数のユーザ・コード（１）を生成する動作；
−購入製品の識別コードを読み取ることにより、前記ユーザの購入製品の第１の電子リストを生成し、前記生成したユーザ・コード（１）及び前記ユーザ・コードと関連付けた前記購入製品の第１の電子リストを前記ローカル・サーバ（１０）に送信する動作；
−前記ユーザ・コード（１）と関連付けられ且つ電子参照リスト内に存在する購入製品のみを含む第２の電子リストを決定するために、前記ローカル・サーバの前記プロセッサにより、前記電子参照リストを構成し、事前決定した販売促進を受ける１つ又は複数の製品を含む前記参照リストと、前記ユーザの購入製品の前記第１の電子リストとをローカル・サーバ（１０）内で比較する動作、
−前記ローカル・サーバ（１０）から前記中央サーバ（３）に、前記ユーザ・コード（１）及び前記ユーザ・コード（１）に関連付けられた前記第２のリストを送信する動作であって、前記送信する動作は、前記ローカル・サーバ（１０）による承諾入力の受信後に実施される、動作；
−前記中央サーバ（３）によって、前記受信データを受信、記憶する動作；
−前記コード（１）に関連付けた各ユーザに対する参照値の最終的な到達を検証するために、前記特定のプロセッサにより前記データを前記中央サーバ（３）内で処理する動作
を含む方法。
【請求項２】
前記ユーザ・コード（１）を前記ユーザの電子デバイス（２）に送信する動作は、前記コード（１）の可視化を予見する、請求項１に記載の方法。
【請求項３】
前記デバイス（２）上で前記ユーザ・コード（１）を可視化する動作は、予見され、製品購入の前であり、コード読取り装置（４）による前記ユーザ・コード（１）の読取りは、買物品購入結果が前記ユーザ・コード（１）に関連付けられるように前記ローカル・サーバ（１０）に接続される、請求項１又は２に記載の方法。
【請求項４】
前記読取り装置（４）は、製品購入用バーコード読取り器と同じバーコード読取り器である、請求項３に記載の方法。
【請求項５】
前記ローカル・サーバ（１０）部分による承諾入力の受信は、支払いが行われた後に承諾信号を送信することを含む、請求項１から４のうちいずれか一項に記載の方法。
【請求項６】
参照値の最終的な到達を検証するための前記データの処理動作は、購入製品に割り当てられた値又は各ユーザによる購入製品数のための値と参照値とを中央サーバ内で比較することを含む、請求項１から５のうちいずれか一項に記載の方法。
【請求項７】
生成される前記ユーザ・コードは：
−数字又は英数字コードを最後に備えるバーコード；
−税金識別コード；
−生体コード
からの選択である、請求項１に記載の方法。
【請求項８】
前記ユーザ・コードは、前記中央サーバ（３）によって生成される、請求項１から７のうちいずれか一項に記載の方法。
【請求項９】
前記ユーザ・コードは、ｓｍｓ、ｍｍｓ、電子メール、モバイル・アプリケーションのいずれかによって前記ユーザに送信される、請求項８に記載の方法。
【請求項１０】
前記中央サーバは、予め決定した商業イニシアチブを受ける製品の完全なリストを含み、各ローカル・サーバは、前記中央サーバから前記リストを周期的にダウンロードする、請求項１から９のうちいずれか一項に記載の方法。
【請求項１１】
１つ又は複数の製品の購入を実施する装置の集合体であって：
−中央サーバ（３）、及び前記中央サーバ（３）とインターネットを通じて通信状態にした１つ又は複数のローカル・サーバ（１０）であって、前記中央サーバ（３）又は前記ローカル・サーバは、１つ又は複数の製品の電子参照リストを含む、中央サーバ（３）及びローカル・サーバ（１０）；
−それぞれを１人のユーザに一義的に関連付けた１つ又は複数のユーザ・コード（１）を生成するデバイス；
−購入製品を電子的に取得するための、前記生成したユーザ・コード（１）に関連付けた前記ユーザの購入製品の第１の電子リストを生成するように構成したデバイス（４）であって、前記ユーザ・コード（１）及び前記ユーザ・コードに関連付けた前記購入製品の第１の電子リストを前記ローカル・サーバ（１０）に送信するようにプログラムしたデバイス（４）を備える集合体であり、
−前記ローカル・サーバ（１０）は、予め決定した販売促進を受ける１つ又は複数の製品を含む前記電子参照リストと、前記ユーザの購入製品の第１の電子リストとの比較を行うようにプログラムしたプロセッサを予見し、前記参照リストに属し且つ前記ユーザ・コード（１）に関連付けた購入製品のみを含む第２の電子リストを生成し；
−前記ローカル・サーバは、電子承諾入力の受信後、インターネットを通じて前記中央サーバ（３）に前記第２のリストを送信するように更にプログラムされ、前記中央サーバは、前記データを処理し、前記コード（１）に関連付けた各ユーザに対する参照値の最終的な到達を検証するようにプログラムされる、集合体。
【請求項１２】
前記ユーザ・コード生成デバイスは、前記中央サーバ（３）の前記プロセッサであり、前記プロセッサは、インターネットを通じて、要求しているユーザの携帯電話に生成したコードを送信するようにプログラムされる、請求項１１に記載の集合体。
【請求項１３】
購入製品を電子的に読み取る前記デバイスは、前記ローカル・サーバ（１０）と通信状態にしたバーコード読取りデバイス（４）であり、前記ユーザ・コードは、好ましくは前記読取りデバイス（４）を通して読み取られるバーコードである、請求項１１又は１２に記載の集合体。
【請求項１４】
請求項１から１０のうちいずれか一項に記載の１つ又は複数の製品の購入方法を動作させる装置の集合体。
【発明の詳細な説明】
【技術分野】
【０００１】
本発明は、製品購入時にポイントを取得し、販売促進、商業及び市場調査のイニシアチブ、割引チケット等へ参加するための技術であって、販売地点内にさらされる製品を不正な改ざんから保護する技術に関する技術分野に関する。
【０００２】
詳細には、本発明は、販売地点の棚上に存在する商業製品の不正な損害の危険性を低減し、同時に、ポイントの取得並びに販売促進又は商業活動全般及び市場調査活動、割引チケット等への相関的な参加を可能にする革新的な方法及び装置の関連システムに関する。
【背景技術】
【０００３】
商業施設及び／又は他の流通ネットワークにおいて、同じ製品の次の購入又は同時購入に対する割引等、予め決定された商業的イニシアチブを周期的に受ける特定範囲の販売製品がしばしば存在することは公知である。
【０００４】
現在、現況技術では、一般に、割引で利益を得るために、パッケージから取り外し次の購入時に手渡す必要がある特定のクーポンが存在する。
【０００５】
この点において、製品が損害にさらされる高い危険性が明らかに存在する。というのは、こうした製品は、製品を購入する意図が明らかにないにもかかわらず、興味のあるクーポンをパッケージから取り外す意図で不正に改変されることが多いためである。
【０００６】
したがって、製品は損害を受け、棚から除去及び廃棄する必要があり、商業施設にとっては、紛れもなく大きな経済的損害を伴う。
【０００７】
更に、取り外されたクーポンは、（例えばスキャナ及び図形処理ソフトウェア・プログラムにより）偽の複写で不正に複製されるおそれがあり、このことにより問題の商業施設及び当然そのイニシアチブの販売促進業者に更なる損害がもたらされる。
【０００８】
同じ問題は、コンテストへの参加又はポイント収集等特定の経済的利点を有するように、物理的又はオンラインで送付できるもの等、取り外し可能なクーポン及びコードを有する製品にも存在し、この場合にも、こうしたクーポンが物理的に取り外される特定の傾向があり、問題の製品に物理的損害をもたらす。
【０００９】
最後に述べるが決して軽んじられないこととして、例えば、特定のケースでは、特定の販売促進に参加するために、パッケージ内部に存在する特定のコードを読み取り、ＳＭＳ又はインターネットによりそのコードを送信するのにパッケージを開封する必要さえある。パッケージの開封は、製品の物理的廃棄を決定的にすることは明らかである。
【００１０】
更に、製品のパッケージ上に存在する特定のコードをその製品を購入せずに不正に持ち去ることは、そのようなイニシアチブの保有者にも損害を与える明らかな不正行為である。
【発明の概要】
【発明が解決しようとする課題】
【００１１】
したがって、本発明の目的は、前記技術的不都合を少なくとも部分的に解決可能にする革新的な方法及び装置の関連システムを提供することである。
【００１２】
具体的には、取外し可能及び取外し不可能に関わらず、製品のパッケージ上に存在し、商業的イニシアチブに関連する特定コードの存在をなくすことを可能にする革新的な方法及び装置の関連システムを提供することが本発明の目的であり、このようにして、何者かが前記コードを読み取るか又は持ち去ろうとして不正にパッケージ自体に物理的損害を与え得る危険性をなくす。
【００１３】
販売製品の物理的完全性を維持するにもかかわらず、あらゆるイニシアチブへの参加を可能にし、安全性、不正防止性、したがって信頼性をもたらし、消費者による費用及び／又は活動を全く伴わない購入方法を提供することも本発明の目的である。
【課題を解決するための手段】
【００１４】
したがって、これら及び他の目的は、請求項１に記載の１つ又は複数の製品の本発明の購入方法により得られる。
【００１５】
本方法は：
−中央サーバ（３）、及び中央サーバ（３）と例えばインターネットを通じて通信状態にした１つ又は複数のローカル・サーバ（１０）を構成する動作；
−それぞれを１人のユーザに一義的に関連付けた１つ又は複数のユーザ・コード（１）を生成する動作；
−購入製品に関連付けた識別コード、例えばＥＡＮコードとも呼ばれる古典的バーコードの読取りによってユーザの購入製品の電子リストを生成し、ユーザ・コード（１）、及びユーザ・コードに関連付けた前記購入製品の電子リストをローカル・サーバ（１０）に送信する動作；
−前記販売促進を受け且つユーザ・コード（１）に関連付けた購入製品のみを含む第２のリストを決定するために、予め決定した販売促進を受ける１つ又は複数の製品を含む参照リストと、前記ユーザの購入製品の電子リストとをローカル・サーバ（１０）内で比較する動作；
−ローカル・サーバ（１０）から中央サーバ（３）に、ユーザ・コード（１）及びユーザ・コード（１）に関連付けた前記第２のリストを送信する動作であって、前記送信する動作は、ローカル・サーバ（１０）による承諾入力の受信後に実施される、動作；
−中央サーバ（３）により、前記受信データを受信、記憶する動作；
−コード（１）に関連付けた各ユーザに対する参照値の最終的な到達を検証するために、中央サーバ（３）内で前記データを処理する動作
を含む。
【００１６】
本方法により、以下の理由で、上記した技術的問題の解決が可能になる。
【００１７】
生じ得る販売促進又は活動は、これらが取り得るあらゆる性質のものであるが、取り外し可能なクーポン又はコードにより製品パッケージ上にもはや物理的に存在する必要がない。この取り外し可能なクーポン又はコードとは、一般にパッケージ内部に置かれたもの及び／又は例えば銀ワニスで被覆し、複数頁形式で挿入した等のものである。反対に、販売促進又は活動は、今や、特定の参照リスト内に電子的に記憶した電子データ形式であり、この特定の参照リストは、中央サーバ内に含まれ、当然ながら時間ごとに更新可能である。
【００１８】
このようにして、製品は、あらゆる販売促進のあらゆる識別コードを物理的に免除され、購入製品の電子リストとそのようなイニシアチブを受ける製品リストとの分析比較が、専用にプログラムされた特定サーバ内で直接行われる。代数比較動作により、特定の販売促進を受け且つ製品を購入したユーザに一義的に関連付けた１つ又は複数の製品の最終的なリストの「代数的」補外が可能になる。
【００１９】
このようにして、ユーザは、製品上に存在する特定コードを必要とせずに、特定の販売促進から自動的に利益を得ることができる。
【００２０】
このようにして、パッケージ上に存在する取り外し可能なクーポン及び特定コードを容易に物理的に排除でき、製品の不正な物理的損害に関する問題を解決する。
【００２１】
更に、ユーザは、今や、当然であるが通常の購入動作を除いて、販売促進から利益を得るためのあらゆる更なる動作から解放される。
【００２２】
このようにして、上記した全ての不正が不可能である。というのは、販売促進及び／又は他の活動へのアクセスは、フリーダイヤル番号への電話も、ｓｍｓ、電子メール又は他のものを送信する必要もなく通常の購入が行われた場合にのみ可能であるためである。
【００２３】
そのようなシステムは、販売促進中の製品購入を絶対的な確実性で検証可能にする。というのは、承諾が行われた後にのみ、ローカル・サーバは、比較から補外した製品のリストを中央サーバに伝達するためである。承諾は、例えば支払いの後、キャッシュ・レジスタからサーバに向かう電子形態の承諾信号を容易に得ることができる。
【００２４】
したがって、ユーザは、物品及び／又はサービス製造会社、流通網等及び／又は提案者自体によって、上述した登録に関するデータの送信を異なる方法及び条件で伝えられることになる。
【００２５】
本方法は、販売促進型、商業型又は非販売促進型、非商業型のあらゆる種類のイニシアチブに対して有効であり、したがって異なる性質のものに対しても有効である。
【００２６】
有利には、ユーザ・コード（１）をユーザの電子デバイス（２）に送信する動作は、前記コード（１）の可視化を予見する。
【００２７】
有利には、ユーザ・コード（１）を前記デバイス（２）上で可視化する動作は、予見され、製品購入の前であり、コード読取り装置（４）による前記ユーザ・コード（１）の読取りは、買物品購入結果が前記ユーザ・コード（１）に関連付けられるように前記ローカル・サーバ（１０）に接続される。
【００２８】
有利には、前記読取り装置（４）は、製品購入用バーコード読取り器と同じバーコード読取り器である。
【００２９】
有利には、ローカル・サーバ（１０）部分による承諾入力の受信は、支払いが行われた後に承諾信号を送信することを含む。
【００３０】
有利には、参照値の最終到達を検証するためのデータ処理の動作は、購入製品に割り当てられた値又は各ユーザによる購入製品数のための値と参照値とを中央サーバ内で比較することを含む。
【００３１】
有利には、生成されるユーザ・コードは：
−数字又は英数字を最後に備えるバーコード；
−税金識別コード；
−生体コード
からの選択である。
【００３２】
有利には、ユーザ・コードは、中央サーバ（３）によって生成される。
【００３３】
有利には、前記ユーザ・コードは、ｓｍｓ、ｍｍｓ、電子メール、モバイル・アプリケーションのいずれかによってユーザに送信される。
【００３４】
有利には、中央サーバは、予め決定した商業的イニシアチブを受ける製品の完全なリストを含み、各ローカル・サーバは、中央サーバからリストを周期的にダウンロードする。
【００３５】
本明細書に更に記載するのは、１つ又は複数の製品の購入を実施する装置の集合体であって：
−中央サーバ（３）、及び中央サーバ（３）とインターネットを通じて通信状態にした１つ又は複数のローカル・サーバ（１０）であって、中央サーバ（３）又はローカル・サーバは、１つ又は複数の製品の電子参照リストを含む、中央サーバ（３）及びローカル・サーバ（１０）；
−それぞれを１人のユーザに一義的に関連付けた１つ又は複数のユーザ・コード（１）を生成するデバイス；
−購入製品を電子的に取得するための、生成したユーザ・コード（１）に関連付けたユーザの購入製品の第１の電子リストを生成するように構成したデバイス（４）であって、ユーザ・コード（１）及び前記ユーザ・コードと関連付けた前記購入製品の第１の電子リストをローカル・サーバ（１０）に送信するようにプログラムされたデバイス（４）を備える集合体であり；
−ローカル・サーバ（１０）は、予め決定した販売促進を受ける１つ又は複数の製品を含む前記電子参照リストと、前記ユーザの購入製品の第１の電子リストとの比較を行うようにプログラムしたプロセッサを予見し、前記参照リストに属し且つユーザ・コード（１）に関連付けた購入製品のみを含む第２の電子リストを生成し；
−ローカル・サーバは、電子承諾入力の受信後、インターネットを通じて中央サーバ（３）に前記第２のリストを送信するように更にプログラムされ、中央サーバは、前記データを処理し、コード（１）に関連付けた各ユーザに対する参照値の最終的な到達を検証するようにプログラムされる、集合体である。
【００３６】
有利には、ユーザ・コード生成デバイスは、中央サーバ（３）のプロセッサであり、このプロセッサは、インターネットを通じて、要求しているユーザの携帯電話に生成したコードを送信するようにプログラムされる。
【００３７】
有利には、購入製品の電子読取りデバイスは、ローカル・サーバ（１０）と通信状態にしたバーコード読取りデバイス（４）であり、ユーザ・コードは、好ましくは前記読取りデバイス（４）により読み取られるバーコードである。
【００３８】
有利には、記載した１つ又は複数の製品の購入方法を実施する装置の集合体を本明細書に記載する。
【００３９】
本発明による本方法の更なる特徴及び利点は、添付の図面を参照して、限定ではなく例示のために行われたいくつかの実施形態に対する以下の説明により明らかになるであろう。
【図面の簡単な説明】
【００４０】
【図１】ユーザ用一義的コード１をダウンロードするスマートフォンの図である。スマートフォンは、ＭＭＳ、電子メール形式及び／又は任意の他の電子形式を表示できる携帯電話に置換えることができる。
【図２】参照コードを処理、記憶する中央サーバ３の図である。
【図３】パームトップ上に現れたバーコードの通常の読取り器４の図であり、この読取り器４により図４のように買物が行われる。
【図４】買物品を読み取り、買物品をローカル・サーバ１０上にロードする図である。読取りは、通常の固定キャッシュ・レジスタ読取り器又はガンで行うことができる。
【図５】支払いを手続し、その後、データ処理のためにデータを中央サーバ３に送信し、その結果、図４に示すように挿入した販売促進活動に割り当てられる図である。
【図６】本システムの一般機能の概要図である。
【発明を実施するための形態】
【００４１】
図１及び図２に示すように、最初にバーコード１の生成段階を予見する。
【００４２】
コード１は、ｓｍｓシステム、ウェブ又は特定のアプリケーションを通じてユーザに送信される。中央サーバ３は、特定のプロセッサを予見することになり、このプロセッサは、コードを生成し、次にそのコードをメモリ内に保持し、その結果、各ユーザを生成したバーコードに一義的に関連付けるようにプログラムされる。
【００４３】
そのようなコードは、更なる英数字又はただの数字コードと最終的に組み合わせたバーコードから構成される。このようにして、バーコードを識別するように構成した電子機器による読取りが失敗した場合、キャッシャのキーボードにより前記更なるコードを手入力で挿入することが可能となる。
【００４４】
既に述べたように、一義的コードの生成は、異なる方法で生じさせることができる。
【００４５】
例えば、一般にスマートフォン、ｉＰｈｏｎｅ及びパームトップ等、既に一般的に使用されている携帯電話デバイス２に特定のアプリケーションをインターネットからダウンロードすることが可能である。最も多くの様々なニーズに対してあらゆる種類のアプリケーションをダウンロードする可能な形態は長い間公知となっている。
【００４６】
要求された個人データを挿入した後、したがって要求されたデータが記入された後、アプリケーションは、図に正確に表したコード１を生成し、このコード１は、コード１を要求した１人のユーザに関連付けられる。この点において、ウェブ又は電話（ｓｍｓ、ｍｍｓ、ウェブ・アプリケーション）を通じてユーザをシステム（中央サーバ３）に登録することを予見し、こうしたウェブ又は電話は、当然、コードの生成に予備的なものである。
【００４７】
生成したコードは、中央サーバ３内に記憶され、ユーザに送信される。
【００４８】
バーコードに言及したが、あらゆる種類のコードを実現できることに留意されたい。
【００４９】
更なるケースでは、税金識別コードに言及できる。この点において、コードを生成するサーバは、税金識別コードを複製できるそのようなデータを取得するか、或いは、税金識別コードを挿入することを直接要求する。
【００５０】
更なる一例では、サーバは、生体コードの形態のコードを生成する。生体認識システムとは、特定の種類の情報技術システムであり、このシステムは、１つ又は複数の生物学的及び／又は行動特徴に基づいて人を識別し（生体計測）、識別したものと、入力内のデータ取得アルゴリズム及びセンサにより、以前取得した、システムのデータベース内に存在するデータ（例えば網膜形状）と比較するという機能及び目的を有する。
【００５１】
更なる一例では、コードは、他の異なるイニシアチブに対するユーザの既存のコードとすることができ、このコードは、システムにより送信されるコードに組み合わせられ、その結果、これらのコードの２元的な使用を可能にする。
【００５２】
図２は、中央サーバ３、及びパームトップのアプリケーションにより生成したコードをサーバ内に記憶することを概略的に示す。したがって、アプリケーションは、中央サーバと通信する。
【００５３】
代替的に、コードは、コードを生成、返信するためにサーバ３に常に依存する事前定義した番号に電話ｓｍｓを送信することにより入手できるか、又はウェブ・ページ若しくは特定のアプリケーションを通じてサーバ３にアクセスすることにより入手できる。
【００５４】
ウェブによる生成の場合、コードは、電子メール、ｍｍｓによりユーザに送信できるか又はアプリケーションによって表示できる。
【００５５】
いずれの場合も、ユーザの一義的識別コードが生成してあり、中央サーバ３内のメモリに存在する。
【００５６】
この時点で、ユーザは、参照販売地点（例えばスーパーマーケット）で消費物品を購入する際に、買物品の読取りで使用する通常の読取り器及び／又はバーコード用ガン４により自分のコードを読み取らせる。ガン４及び／又は通常の読取り器は、ユーザの携帯電話上に現れたユーザの識別コードを読み取る。代替的に、図３のように、コードは、買物品を通すのに通常使用される、読取り器付キャッシャ・デスクで読み取る又は手入力で直接挿入できる。
【００５７】
したがって、コードは、特別にプログラムしたローカル・サーバ１０によって記憶され、このコードに対して、図３及び図４のようにユーザによる製品購入が関連付けられる。
【００５８】
図３及び図４の例は、ローカル・サーバ１０に記憶したコード１の読取りを、前記コードに関連付けた購入製品のバーコードの読取りと共に正確に示しており、図４は、例として、販売促進が提供される又は他の活動を受ける製品を示す。
【００５９】
したがって、ユーザは、買物をする前に、パームトップ上に現れる自分のコードを読取り器４で読み取らせ、読取り器４は、コードをローカル・サーバ１０に送信する。この時点で、ユーザは買物を行い、その結果、ユーザの購入製品が読取り器４で読み取られ（バーコードの読取り）、したがって製品が読み取られるとき、製品はユーザのコード１に関連付けたローカル・サーバ内に最終的に記憶される。
【００６０】
ローカル・サーバは、購入製品及びこれらの製品に関連付けられるコードを記憶できる適切なプロセッサを当然予見することになる。
【００６１】
製品のコードは英数字バーコードであり、ユーザ・コードはいずれの場合にも「番号化」できるので、プロセッサは容易に実装できる。
【００６２】
そのようなデータは、ローカル・サーバ１０上に保存、記憶されることになり、販売促進コード又は他の活動を受けるコードの識別を可能にし、結果として、支払い後、中央サーバ３に送信するために抽出できる。このことは、中央サーバ３が、コードの生成に加えて、販売促進中及び非販売促進中の全ての製品をメモリ内に有するために可能であり、こうした全ての製品は継続的に更新できる。中央サーバのプロセッサは、（例えば関連バーコードを記憶することにより）特定の販売促進を受ける全ての製品をメモリ内に含む。インターネットを介して、ローカル・サーバ１０が販売促進中の製品リストを周期的に探してダウンロードし、こうしてユーザの購入製品の中から販売促進中の製品を識別することを可能にする通信が存在する。
【００６３】
ユーザが製品を購入するときに、ローカル・サーバ１０は、中央サーバによってダウンロードしたリストと、購入製品とを単純に「電子的に」比較することによって、全ての購入製品の中から特定の販売促進に属する製品を識別する。
【００６４】
実際、ローカル・サーバのプロセッサは、販売促進を受ける製品を表すコードと、ユーザの購入製品コードとを「代数」比較し、このようにしてコードの電子リストを書き込み、このリストは、ユーザの購入製品を表し、当該のユーザ・コードに一義的に関連付けられ、特定の販売促進を受けるものである。
【００６５】
図５のように、支払い時、販売促進を受ける製品に関連付けたユーザの個人コードは、ローカル・サーバ１０から中央サーバ３に送信される。
【００６６】
このことは、例えばクレジット・カード又はデビット・カードによる支払い時、電子承諾信号が生成され、この電子承諾信号は最終的にキャッシャ自体からローカル・サーバにも送信できるためである。
【００６７】
その後、それぞれの活動の規則に基づいて、指定した目的に到達すると、サーバ３は、プレゼントの送付並びに／又はコンテスト業務への参加（及びその結果として得られた勝利）に関するポイントの残高を通知することになる。市場調査等の他の活動の場合、こうした適当な活動は、活動によって示される目的を入手するように展開される。
【００６８】
図６は、明確にする目的で全ての手順を要約したものである。
【００６９】
ローカル・サーバ１０は、コード認識の手順で示されているものの展開を可能にする商業施設又は他の流通地点若しくは領域の管理内に置かれる。例えば、商業施設は、商業施設のローカル・サーバ１０を予見できる。中央サーバ３は、インターネットを通じてローカル・サーバと通信し、中央サーバ３及びローカル・サーバが情報を交換できるようにする。
【００７０】
中央サーバは、ユーザによって処理される全てのコード（ＣＯＤｌ、ＣＯＤ２・・・ＣＯＤｎ）を含み、販売促進及び／又は異なるイニシアチブを受ける製品のリストは、当然ながら、時間ごとに更新可能である。
【００７１】
ローカル・サーバ１０は、読取り器で買物をする各ユーザに対し、買物リストをユーザ・コードに関連付け、中央サーバ内に存在するリストを単に周期的にダウンロードし単純な比較を動作することによって販売促進物品を補外する。
【００７２】
別様に、本発明の変形形態では、各ローカル・サーバ１０は、販売促進を受ける製品をローカルに更新でき、したがって、この場合、中央サーバは、全ての活動の製品リストを含まないが、そのような販売地点によって表示されるコードを、購入された販売促進物品と共に記憶することになる。
【００７３】
買物をする各ユーザに対し、ローカル・サーバは、販売促進を受ける製品を識別でき、購入製品を販売促進物品のリストと比較する。ローカル・サーバは、支払いが行われた後そのような情報を中央サーバに送信するようにプログラムされる。ユーザが支払いを行ったときのみ、ローカル・サーバ１０は、承諾を受信して、クライアント・コード１を販売促進中の購入製品と共に中央サーバ３に送信し、この中央サーバ３は、それらをメモリ内に保持し、事前に確立した賞品への到達又は他の活動の計算のために処理する。
【００７４】
例えば、特定のｎ個の製品の購入により賞品が獲得される場合、中央サーバ３は、各ユーザに対して事前固定の数字ｎに達しているかどうかを計数し、その後、例えば通知のｓｍｓ等を送信することによって賞品を割り当てることになる。
【００７５】
コンテスト活動（賭け）の場合、最終的な勝利は、賭けの正確な決定に適切なプログラムを使用して、電子メール、ｓｍｓ等によって直接ユーザに通知されることになる。
【００７６】
本発明の好ましい実施形態は、読取り器４（図４を参照）による読取りを予見するが、支払い時に、キャッシャ・デスクでコード１を手入力で挿入する（又はキャッシャ・デスクの読取り器でコードを読み取る）代替形態が可能であり、買物品は、通常、買物品を読み取る固定読取り器の下を通り（バーコードの読取り）、そのコードを特定のユーザに関連付けたローカル・サーバ１０に送信する。
【００７７】
本発明は、既に述べたように、賞品又は割引蓄積のためのポイント収集という古典的なケースだけでなく、市場調査のためにも適用可能である。
【００７８】
各ユーザに対してユーザの購入製品をメモリ内に保持する中央サーバ３は、例えば市場調査として、例えば最も購入する製品に対し自動的にカスタマイズした割引チケットを発行する手段として、各ユーザに対してユーザが最も使用する製品の平均化を行うこともできる。この場合、購入時、ローカル・サーバは、販売促進を受ける品物のリストだけでなく買物リスト全体を中央サーバに送信することになる。
【００７９】
本明細書では、販売促進／商業イニシアチブ又はただの販売促進又はだたの商業活動という言い回しは、製品購入時における、コンテスト、賞品の割当て、割引チケット、市場調査等のためのポイントの取得の全ての活動の集合を意味する。
【符号の説明】
【００８０】
１  ユーザ・コード
２  電子デバイス
３  中央サーバ
４  読取り装置
１０  ローカル・サーバ
【図１】
2016508249.tif 000003
【図２】
2016508249.tif 000004
【図３】
2016508249.tif 000005
【図４】
2016508249.tif 000006
【図５】
2016508249.tif 000007
【図６】
2016508249.tif 000008
【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
１つ又は複数の製品の購入方法であって：
−中央サーバ（３）、及び前記中央サーバ（３）と通信状態にした１つ又は複数のローカル・サーバ（１０）を構成する動作；
−特定のプロセッサを通して、それぞれを１人のユーザに一義的に関連付けた１つ又は複数のユーザ・コード（１）を生成する動作；
−購入製品の識別コードを読み取ることにより、前記ユーザの購入製品の第１の電子リストを生成し、前記生成したユーザ・コード（１）及び前記ユーザ・コードと関連付けた前記購入製品の第１の電子リストを前記ローカル・サーバ（１０）に送信する動作；
−前記ユーザ・コード（１）と関連付けられ且つ電子参照リスト内に存在する購入製品のみを含む第２の電子リストを決定するために、前記ローカル・サーバの前記プロセッサにより、前記電子参照リストを構成し、事前決定した販売促進を受ける１つ又は複数の製品を含む前記参照リストと、前記ユーザの購入製品の前記第１の電子リストとをローカル・サーバ（１０）内で比較する動作、
−前記ローカル・サーバ（１０）から前記中央サーバ（３）に、前記ユーザ・コード（１）及び前記ユーザ・コード（１）に関連付けられた前記第２のリストを送信する動作であって、前記送信する動作は、前記ローカル・サーバ（１０）による承諾入力の受信後に実施される、動作；
−前記中央サーバ（３）によって、前記受信データを受信、記憶する動作；
−前記コード（１）に関連付けた各ユーザに対する参照値の最終的な到達を検証するために、前記特定のプロセッサにより前記データを前記中央サーバ（３）内で処理する動作
を含む方法。
【請求項２】
前記ユーザ・コード（１）を前記ユーザの電子デバイス（２）に送信する動作は、前記コード（１）の可視化を予見する、請求項１に記載の方法。
【請求項３】
前記デバイス（２）上で前記ユーザ・コード（１）を可視化する動作は、予見され、製品購入の前であり、コード読取り装置（４）による前記ユーザ・コード（１）の読取りは、買物品購入結果が前記ユーザ・コード（１）に関連付けられるように前記ローカル・サーバ（１０）に接続される、請求項１又は２に記載の方法。
【請求項４】
前記読取り装置（４）は、製品購入用バーコード読取り器と同じバーコード読取り器である、請求項３に記載の方法。
【請求項５】
前記ローカル・サーバ（１０）部分による承諾入力の受信は、支払いが行われた後に承諾信号を送信することを含む、請求項１から４のうちいずれか一項に記載の方法。
【請求項６】
参照値の最終的な到達を検証するための前記データの処理動作は、購入製品に割り当てられた値又は各ユーザによる購入製品数のための値と参照値とを中央サーバ内で比較することを含む、請求項１から５のうちいずれか一項に記載の方法。
【請求項７】
生成される前記ユーザ・コードは：
−数字又は英数字コードを最後に備えるバーコード；
−税金識別コード；
−生体コード
からの選択である、請求項１に記載の方法。
【請求項８】
前記ユーザ・コードは、前記中央サーバ（３）によって生成される、請求項１から７のうちいずれか一項に記載の方法。
【請求項９】
前記ユーザ・コードは、ｓｍｓ、ｍｍｓ、電子メール、モバイル・アプリケーションのいずれかによって前記ユーザに送信される、請求項８に記載の方法。
【請求項１０】
前記中央サーバは、予め決定した商業イニシアチブを受ける製品の完全なリストを含み、各ローカル・サーバは、前記中央サーバから前記リストを周期的にダウンロードする、請求項１から９のうちいずれか一項に記載の方法。
【請求項１１】
１つ又は複数の製品の購入を実施する装置の集合体であって：
−中央サーバ（３）、及び前記中央サーバ（３）と通信状態にした１つ又は複数のローカル・サーバ（１０）であって、前記中央サーバ（３）又は前記ローカル・サーバは、１つ又は複数の製品の電子参照リストを含む、中央サーバ（３）及びローカル・サーバ（１０）；
−それぞれを１人のユーザに一義的に関連付けた１つ又は複数のユーザ・コード（１）を生成するデバイス；
−購入製品を電子的に取得するための、前記生成したユーザ・コード（１）に関連付けた前記ユーザの購入製品の第１の電子リストを生成するように構成したデバイス（４）であって、前記ユーザ・コード（１）及び前記ユーザ・コードに関連付けた前記購入製品の第１の電子リストを前記ローカル・サーバ（１０）に送信するようにプログラムしたデバイス（４）を備える集合体であり、
−前記ローカル・サーバ（１０）は、予め決定した販売促進を受ける１つ又は複数の製品を含む前記電子参照リストと、前記ユーザの購入製品の第１の電子リストとの比較を行うようにプログラムしたプロセッサを予見し、前記参照リストに属し且つ前記ユーザ・コード（１）に関連付けた購入製品のみを含む第２の電子リストを生成し；
−前記ローカル・サーバは、電子承諾入力の受信後、インターネットを通じて前記中央サーバ（３）に前記第２のリストを送信するように更にプログラムされ、前記中央サーバは、前記データを処理し、前記コード（１）に関連付けた各ユーザに対する参照値の最終的な到達を検証するようにプログラムされる、集合体。
【請求項１２】
前記ユーザ・コード生成デバイスは、前記中央サーバ（３）の前記プロセッサであり、前記プロセッサは、インターネットを通じて、要求しているユーザの携帯電話に生成したコードを送信するようにプログラムされる、請求項１１に記載の集合体。
【請求項１３】
購入製品を電子的に読み取る前記デバイスは、前記ローカル・サーバ（１０）と通信状態にしたバーコード読取りデバイス（４）であり、前記ユーザ・コードは、好ましくは前記読取りデバイス（４）を通して読み取られるバーコードである、請求項１１又は１２に記載の集合体。
【請求項１４】
請求項１から１０のうちいずれか一項に記載の１つ又は複数の製品の購入方法を動作させる装置の集合体。
【国際調査報告】
2016508249.tif 000009
2016508249.tif 000010